(57)【要約】      （修正有）【課題】ユーザーが切換えスイッチのオン回数により適合する照明色温と照明輝度を選択可能な照明装置を提供する。【解決手段】発光源１３は第一照明色温を有する光源を出力する第一発光ダイオードユニット１３１と、第二照明色温を有する光源を出力する第二発光ダイオードユニット１３２を少なくとも含み、切換えスイッチ１１は電源端２に連結され、発光源は切換えスイッチのオン回数に応じユーザーが選択した照明色温と照明輝度を供給する。【選択図】図１
0003169679.tif 000002
【実用新案登録請求の範囲】
【請求項１】
色温調整可能な照明装置であって、
第一照明色温を有する光源を出力する第一発光ダイオードユニットと、
第二照明色温を有する光源を出力する第二発光ダイオードユニットを少なくとも有する発光源と、
電源端に連結される切換えスイッチと、
前記切換えスイッチと前記発光源の間に電気的に接続され、前記切換えスイッチのオン回数に応じ第一作動信号を前記第一発光ダイオードユニットへ送信し、及び／或いは第二作動信号を前記第二発光ダイオードユニットへ送信する駆動装置を含み、
前記第一発光ダイオードユニットは前記第一作動信号に応じ前記第一照明色温を有する第一照明輝度を発生させ、及び／或いは前記第二発光ダイオードユニットは前記第二作動信号に応じ前記第二照明色温を有する第二照明輝度を発生させることを特徴とする色温調整可能な照明装置。
【請求項２】
前記駆動装置は、
前記切換えスイッチのオン回数を計算し対応する前記第一作動信号を前記第一発光ダイオードユニットへ出力し、及び／或いは前記第二作動信号を前記第二発光ダイオードユニットへ出力する計数制御ユニットと、
前記第一発光ダイオードユニットを駆動させ前記第一照明色温を有する前記第一照明輝度を発生させ、及び／或いは前記第二発光ダイオードユニットを駆動させ前記第二照明色温を有する前記第二照明輝度を発生させる駆動回路を含むことを特徴とする、請求項１に記載の照明装置。
【請求項３】
前記計数制御ユニットはピーロムマイクロコントローラないしフリップフロップのいずれか一つを含み、或は前記切換えスイッチのオフ状態が時間長を超過すると、前記計数制御ユニットは前記切換えスイッチのオン回数を再計算し、或は前記計数制御ユニットは、前記計数制御ユニットに対し前記時間長内の電力を供給するためのキャパシタを含むことを特徴とする、請求項２に記載の照明装置。
【請求項４】
前記計数制御ユニットは前記切換えスイッチのオン回数に応じて対応する調光信号を更に出力させ、
前記駆動装置は、
前記調光信号を受信し対応する駆動信号を出力させるためのパルス幅変調制御ユニットを更に含み、
前記駆動回路は前記駆動信号に応じて前記発光源を駆動させ対応する照明輝度を発生させることを特徴とする、請求項２に記載の照明装置。
【請求項５】
前記駆動信号はデューティサイクル（ｄｕｔｙ  ｃｙｃｌｅ）１００％のパルス幅変調信号、デューティサイクル（ｄｕｔｙ  ｃｙｃｌｅ）８０％のパルス幅変調信号、デューティサイクル（ｄｕｔｙ  ｃｙｃｌｅ）７５％のパルス幅変調信号、デューティサイクル（ｄｕｔｙ  ｃｙｃｌｅ）６０％のパルス幅変調信号、或いはデューティサイクル（ｄｕｔｙ  ｃｙｃｌｅ）５０％のパルス幅変調信号であること、或は前記第一照明輝度と前記第二照明輝度が同様な発光輝度状態時には、前記駆動信号は前記第一発光ダイオードユニットと前記第二発光ダイオードユニットを同時に駆動させ、或いは前記第一照明輝度と前記第二照明輝度が異なる発光輝度状態時には、前記駆動信号は前記第一発光ダイオードユニットないし前記第二発光ダイオードユニットの内のいずれか一つを駆動させることを特徴とする、請求項４に記載の照明装置。
【請求項６】
室内照明に応用され、また前記照明装置は家庭用照明、商業用照明、卓上スタンド、或いはベッドライトであることを特徴とする、請求項１に記載の照明装置。
【請求項７】
前記第一発光ダイオードユニットと前記第二発光ダイオードユニットは少なくとも三個の発光ダイオードを共に含み、またこれら前記発光ダイオードは共に対称軸になり対称に配列され、前記対称軸の両側にそれぞれ位置され、前記対称軸に沿い相互に対応する二個の発光ダイオードが出力する光源は同じ照明色温を有し、ここでは、前記対称軸の両側のいずれか一方に位置される発光ダイオード配列グループは、少なくとも二個の発光ダイオード配列サブグループに分別され、また各前記発光ダイオード配列サブグループのいずれか二個の隣接する発光ダイオードが出力する光源の照明色温は異なることを特徴とする、請求項１に記載の照明装置。
【請求項８】
各前記発光ダイオード配列サブグループの発光ダイオードは線状配列を呈する、或いは非線状の配列を呈すること、或はこれら前記発光ダイオードの周辺に配列されるいずれか二個の隣接する発光ダイオードが出力する光源の照明色温は異なることを特徴とする、請求項７に記載の照明装置。
【請求項９】
前記第一発光ダイオードユニットと前記第二発光ダイオードユニットは少なくとも三個の発光ダイオードを共に含み、またこれら前記発光ダイオードが行列形式を呈して配列される時、いずれか二個の隣接する発光ダイオードが出力する光源の照明色温は異なり、これら前記発光ダイオードが行列形式でない配列を呈する時、これら前記発光ダイオードは少なくとも二個の発光ダイオード配列グループに分別され、各前記発光ダイオード配列グループ中の全ての発光ダイオードは線状配列を呈し、また各前記発光ダイオード配列グループ中のいずれか二個の隣接する発光ダイオードの出力する光源の照明色温は異なることを特徴とする、請求項１に記載の照明装置。
【請求項１０】
いずれか二個の発光ダイオード配列グループは相互に平行配列され、及び／或いはこれら前記発光ダイオードの周辺に配列されるいずれか二個の隣接する発光ダイオードが出力する光源の照明色温は異なること、或はこれら前記発光ダイオードは共に対称軸になり対称に配列され、前記対称軸の両側にそれぞれ位置され、また前記対称軸に沿い相互に対応するいずれか二個の発光ダイオードが出力する光源は同じ照明色温を有することを特徴とする、請求項９に記載の照明装置。
【請求項１１】
色温調整可能な照明装置であって、
駆動装置と、第一照明色温を有する光源を出力する第一発光ダイオードユニットと、第二照明色温を有する光源を出力する第二発光ダイオードユニットを少なくとも有し、また前記駆動装置は前記第一発光ダイオードユニットを駆動させ前記第一照明色温を有する第一照明輝度を発生し、及び／或いは前記第二発光ダイオードユニットを駆動させ前記第二照明色温を有する第二照明輝度を発生させる発光部と、
電源端に連結され前記発光部に電気的に接続され、ユーザーにより切り換えられるそれのオン回数に応じて前記第一照明色温を有する前記第一照明輝度ないし、前記第二照明色温を有する前記第二照明輝度、或いは前記第一照明色温と前記第二照明色温を混合させて生成される第三照明色温を有する第三照明輝度の内のいずれか一つを選択するスイッチ部を含むことを特徴とする色温調整可能な照明装置。
【請求項１２】
前記駆動装置は、
前記切換えスイッチのオン回数を計算し対応する第一作動信号を前記第一発光ダイオードユニットへ出力し、及び／或いは第二作動信号を前記第二発光ダイオードユニットへ出力する計数制御ユニットと、
前記第一発光ダイオードユニットを駆動させ前記第一照明色温を有する前記第一照明輝度を発生させ、及び／或いは前記第二発光ダイオードユニットを駆動させ前記第二照明色温を有する前記第二照明輝度を発生させる駆動回路を含み、
前記第一発光ダイオードユニットは前記第一作動信号に応じ前記第一照明色温を有する前記第一照明輝度を発生させ、及び／或いは前記第二発光ダイオードユニットは前記第二作動信号に応じ前記第二照明色温を有する前記第二照明輝度を発生させることを特徴とする、請求項１１に記載の照明装置。
【請求項１３】
前記計数制御ユニットは前記切換えスイッチのオン回数に応じて対応する調光信号を更に出力し、前記駆動装置は、
前記調光信号を受信し対応する駆動信号を出力するパルス幅変調制御ユニットを更に含み、
前記駆動回路は前記駆動信号に応じて前記発光部を駆動させ対応する照明輝度を発生させること、
或は前記駆動信号はデューティサイクル（ｄｕｔｙ  ｃｙｃｌｅ）１００％のパルス幅変調信号、デューティサイクル（ｄｕｔｙ  ｃｙｃｌｅ）８０％のパルス幅変調信号、デューティサイクル（ｄｕｔｙ  ｃｙｃｌｅ）７５％のパルス幅変調信号、デューティサイクル（ｄｕｔｙ  ｃｙｃｌｅ）６０％のパルス幅変調信号、或いはデューティサイクル（ｄｕｔｙ  ｃｙｃｌｅ）５０％のパルス幅変調信号であること、
或は前記第一照明輝度と前記第二照明輝度が同様な発光輝度状態時には、前記駆動信号は前記第一発光ダイオードユニットと前記第二発光ダイオードユニットを同時に駆動させ、或いは前記第一照明輝度と前記第二照明輝度が異なる発光輝度状態時には、前記駆動信号は前記第一発光ダイオードユニットないし前記第二発光ダイオードユニットの内のいずれか一つを駆動させることを特徴とする、請求項１１に記載の照明装置。
【請求項１４】
前記第一発光ダイオードユニットと前記第二発光ダイオードユニットは少なくとも三個の発光ダイオードを共に含み、またこれら前記発光ダイオードは共に対称軸となり対称に配列され、前記対称軸の両側にそれぞれ位置され、また前記対称軸に沿い相互に対応するいずれか二個の発光ダイオードが出力する光源は同じ照明色温を有し、ここでは、前記対称軸の両側のいずれか一方に位置される発光ダイオード配列グループは、少なくとも二個の発光ダイオード配列サブグループに分別され、また各前記発光ダイオード配列サブグループ中のいずれか二個の隣接する発光ダイオードが出力する光源の照明色温は異なることを特徴とする、請求項１１に記載の照明装置。
【請求項１５】
前記第一発光ダイオードユニットと前記第二発光ダイオードユニットは少なくとも三個の発光ダイオードを共に含み、またこれら前記発光ダイオードが行列形式の配列を呈する時、いずれか二個の隣接する発光ダイオードが出力する光源の照明色温は異なり、これら前記発光ダイオードが行列形式でない配列を呈する時、これら前記発光ダイオードは少なくとも二個の発光ダイオード配列グループに分別され、各前記発光ダイオード配列グループ中の全ての発光ダイオードは線状配列を呈し、また各前記発光ダイオード配列グループ中のいずれか二個の隣接する発光ダイオードが出力する光源の照明色温は異なることを特徴とする、請求項１１に記載の照明装置。
【考案の詳細な説明】
【技術分野】
【０００１】
本考案は、照明装置に関し、より詳しくは、色温調整可能な照明装置に関する。
【背景技術】
【０００２】
発光ダイオード（Ｌｉｇｈｔ  Ｅｍｉｔｔｉｎｇ  Ｄｉｏｄｅ；  ＬＥＤ）は近年日常生活において幅広く応用され、省電力であるという特徴を活かし、ディスプレイや、家電製品、車載用電子機器、照明等もその応用範疇としている。発光ダイオードを家庭用照明の発光源として使用した場合、ライトが暖まる時間が速い為、反応も速くなり、また体積も小さく、長寿命且つ省電力で耐震性も高く、環境汚染も少ない為、高い信頼性を誇る上に量産性にも優れる等の長所を備え、従来の白熱電灯や蛍光灯に取って代わる物として市場を拡げている。
【０００３】
現在発光ダイオードを発光源とする照明装置は、単一の照明色温を有する光源を出力するのみで、発光源の照明色温は照明装置上に設けられる発光ダイオードによって決定される。但し、照明装置上に設けられる発光ダイオードは通常その製造が完成する前に特定の照明色温を有する光源を出力する為の蛍光物質が発光ダイオードに加えられる為、ユーザーが自ら照明装置上の発光ダイオードを交換する以外、使用中の照明装置の発光源の照明色温を調整する事は出来ない。
【考案の概要】
【考案が解決しようとする課題】
【０００４】
しかしながら、前述した従来の技術ではユーザーにとってつぎのような不便がある。例えば、もし発光ダイオードが出力する光源の色温値が高過ぎると、ユーザーにとってその光線は強過ぎ、また周囲の環境は寒冷に映り、それでもユーザーは発光源の照明色温を調整出来ない為、視覚的に不適切で傷害も招きかねず、このため従来の照明装置はユーザー本位と言えず改善の必要がある。
【０００５】
本考案は、このような従来の問題に鑑みてなされたものである。上記課題の解決のため、本考案は、色温調整可能な照明装置を供給することを主目的とする。特にユーザーの切換えスイッチのオン回数により適合する照明色温と照明輝度を選択出来る点に関する。
【課題を解決するための手段】
【０００６】
上記の課題を解決し、目的を達成するために、本考案に係る色温調整可能な照明装置は、
第一照明色温を有する光源を出力する第一発光ダイオードユニットと、
第二照明色温を有する光源を出力する第二発光ダイオードユニットを少なくとも有する発光源と、
電源端に連結される切換えスイッチと、
前記切換えスイッチと前記発光源の間に電気的に接続され、前記切換えスイッチのオン回数に応じ第一作動信号を前記第一発光ダイオードユニットへ送信し、及び／或いは第二作動信号を前記第二発光ダイオードユニットへ送信する駆動装置を含み、
前記第一発光ダイオードユニットは前記第一作動信号に応じ前記第一照明色温を有する第一照明輝度を発生させ、及び／或いは前記第二発光ダイオードユニットは前記第二作動信号に応じ前記第二照明色温を有する第二照明輝度を発生させる。
【０００７】
好ましい実施形態に於いて駆動装置は、
前記切換えスイッチのオン回数を計算し対応する前記第一作動信号を前記第一発光ダイオードユニットへ出力し、及び／或いは前記第二作動信号を前記第二発光ダイオードユニットへ出力する計数制御ユニットと、
前記第一発光ダイオードユニットを駆動させ前記第一照明色温を有する前記第一照明輝度を発生させ、及び／或いは前記第二発光ダイオードユニットを駆動させ前記第二照明色温を有する前記第二照明輝度を発生させる駆動回路を含む。
【０００８】
好ましい実施形態では、計数制御ユニットはピーロムマイクロコントローラないしフリップフロップのいずれか一つを含む。
【０００９】
好ましい実施形態では、切換えスイッチのオフ状態が時間長を超過すると、計数制御ユニットは切換えスイッチのオン回数を再計算する。
【００１０】
好ましい実施形態では、計数制御ユニットは計数制御ユニットに対し時間長内の電力を供給するためのキャパシタを含む。
【００１１】
好ましい実施形態では、計数制御ユニットは切換えスイッチのオン回数に応じて対応する調光信号を更に出力させ、また駆動装置は、
調光信号を受信し対応する駆動信号を出力させるためのパルス幅変調制御ユニットを更に含み、
駆動回路は駆動信号に応じて発光源を駆動させ対応する照明輝度を発生させる。
【００１２】
好ましい実施形態では、駆動信号はデューティサイクル（ｄｕｔｙ  ｃｙｃｌｅ）１００％のパルス幅変調信号、デューティサイクル（ｄｕｔｙ  ｃｙｃｌｅ）８０％のパルス幅変調信号、デューティサイクル（ｄｕｔｙ  ｃｙｃｌｅ）７５％のパルス幅変調信号、デューティサイクル（ｄｕｔｙ  ｃｙｃｌｅ）６０％のパルス幅変調信号、或いはデューティサイクル（ｄｕｔｙ  ｃｙｃｌｅ）５０％のパルス幅変調信号である。
【００１３】
好ましい実施形態では、第一照明輝度と第二照明輝度が同様な発光輝度状態時には、駆動信号は第一発光ダイオードユニットと第二発光ダイオードユニットを同時に駆動させ、或いは第一照明輝度と第二照明輝度が異なる発光輝度状態時には、駆動信号は第一発光ダイオードユニットないし第二発光ダイオードユニットの内のいずれか一つを駆動させる。
【００１４】
好ましい実施形態では、照明装置は室内照明に応用され、また照明装置は家庭用照明、商業用照明、卓上スタンド、或いはベッドライトである。
【００１５】
好ましい実施形態では、第一発光ダイオードと第二発光ダイオードユニットは少なくとも三個の発光ダイオードを共に含み、またこれら発光ダイオードは共に対称軸となり対称に配列され、対称軸の両側にそれぞれ位置され、また対称軸に沿い相互に対応するいずれか二個の発光ダイオードが出力する光源は同じの照明色温を有し、ここでは、対称軸の両側のいずれか一方に位置される発光ダイオード配列グループは、少なくとも二個の発光ダイオード配列サブグループに分別され、また各発光ダイオード配列サブグループ中のいずれか二個の隣接する発光ダイオードが出力する光源の照明色温は異なる。
【００１６】
好ましい実施形態では、各発光ダイオード配列サブグループ中の発光ダイオードは線状配列、或いは非線状の配列を呈する。
【００１７】
好ましい実施形態では、これら発光ダイオードの周辺に配列されるいずれか二個の隣接する発光ダイオードが出力する光源の照明色温は異なる。
【００１８】
好ましい実施形態中では、第一発光ダイオードユニットと第二発光ダイオードユニットは少なくとも三個の発光ダイオードを共に含み、またこれら発光ダイオードが行列形式の配列を呈する時、いずれか二個の隣接する発光ダイオードが出力する光源の照明色温は異なり、これら発光ダイオードが行列形式でない配列を呈する時、これら発光ダイオードは少なくとも二個の発光ダイオード配列グループに分別され、各発光ダイオード配列グループ中の全ての発光ダイオードは線状配列を呈し、また各発光ダイオード配列グループ中のいずれか二個の隣接する発光ダイオードが出力する光源の照明色温は異なる。
【００１９】
好ましい実施形態では、いずれか二個の発光ダイオード配列グループは相互に平行配列され、及び／或いはこれら発光ダイオードの周辺に配列されるいずれか二個の隣接する発光ダイオードが出力する光源の照明色温は異なる。
【００２０】
好ましい実施形態では、これら発光ダイオードは共に対称軸となり対称に配列され、対称軸の両側にそれぞれ位置され、また対称軸に沿い相互に対応するいずれか二個の発光ダイオードが出力する光源は同じ照明色温を有する。
【００２１】
好ましい実施形態では、本考案の色温調整可能な照明装置は、
駆動装置と、第一照明色温を有する光源を出力する第一発光ダイオードユニットと、第二照明色温を有する光源を出力する第二発光ダイオードユニットを少なくとも有し、また駆動装置は第一発光ダイオードユニットを駆動させ第一照明色温を有する第一照明輝度を発生し、及び／或いは第二発光ダイオードユニットを駆動させ第二照明色温を有する第二照明輝度を発生させる発光部と、
電源端に連結され発光部に電気的に接続され、ユーザーにより切り換えられるそれのオン回数に応じて第一照明色温を有する第一照明輝度ないし、第二照明色温を有する第二照明輝度、或いは第一照明色温と第二照明色温を混合させて生成される第三照明色温を有する第三照明輝度の内のいずれか一つを選択するスイッチ部を含む。
【００２２】
好ましい実施形態で駆動装置は、
切換えスイッチのオン回数を計算し対応する第一作動信号を第一発光ダイオードユニットへ出力し、及び／或いは第二作動信号を第二発光ダイオードユニットへ出力する計数制御ユニットと、
第一発光ダイオードユニットを駆動させ第一照明色温を有する第一照明輝度を発生させ、及び／或いは第二発光ダイオードユニットを駆動させ第二照明色温を有する第二照明輝度を発生させる駆動回路を含み、
第一発光ダイオードユニットは第一作動信号に応じ第一照明色温を有する第一照明輝度を発生させ、及び／或いは第二発光ダイオードユニットは第二作動信号に応じ第二照明色温を有する第二照明輝度を発生させる。
【００２３】
好ましい実施形態では、計数制御ユニットはピーロムマイクロコントローラないしフリップフロップのいずれか一つを含む。
【００２４】
好ましい実施形態では、切換えスイッチのオフ状態が時間長を超過すると、計数制御ユニットは切換えスイッチのオン回数を再計算する。
【００２５】
好ましい実施形態では、計数制御ユニットは計数制御ユニットに対し時間長内の電力を供給するキャパシタを含む。
【００２６】
好ましい実施形態では、計数制御ユニットは切換えスイッチのオン回数に応じて対応する調光信号を更に出力させ、また駆動装置更は、調光信号を受信し対応する駆動信号を出力させるパルス幅変調制御ユニットを更に含み、
駆動回路は駆動信号に応じて発光部を駆動させ対応する照明輝度を発生させる。
【００２７】
好ましい実施形態では、駆動信号はデューティサイクル（ｄｕｔｙ  ｃｙｃｌｅ）１００％のパルス幅変調信号、デューティサイクル（ｄｕｔｙ  ｃｙｃｌｅ）８０％のパルス幅変調信号、デューティサイクル（ｄｕｔｙ  ｃｙｃｌｅ）７５％のパルス幅変調信号、デューティサイクル（ｄｕｔｙ  ｃｙｃｌｅ）６０％のパルス幅変調信号、或いはデューティサイクル（ｄｕｔｙ  ｃｙｃｌｅ）５０％のパルス幅変調信号である。
【００２８】
好ましい実施形態では、第一照明輝度と第二照明輝度が同様な発光輝度状態時には、駆動信号は第一発光ダイオードユニットと第二発光ダイオードユニットを同時に駆動させ、或いは第一照明輝度と第二照明輝度が異なる発光輝度状態時には、駆動信号は第一発光ダイオードユニットないし第二発光ダイオードユニットの内のいずれか一つを駆動させる。
【００２９】
好ましい実施形態では、第一発光ダイオードユニットと第二発光ダイオードユニットは少なくとも三個の発光ダイオードを共に含み、またこれら発光ダイオードは共に対称軸となり対称に配列され、対称軸の両側にそれぞれ位置され、また対称軸に沿い相互に対応するいずれか二個の発光ダイオードが出力する光源は同じの照明色温を有し、ここでは、対称軸の両側のいずれか一方に位置される発光ダイオード配列グループは、少なくとも二個の発光ダイオード配列サブグループに分別され、また各発光ダイオード配列サブグループ中のいずれか二個の隣接する発光ダイオードが出力する光源の照明色温は異なる。
【００３０】
好ましい実施形態では、各発光ダイオード配列サブグループ中の発光ダイオードは線状配列、或いは非線状の配列を呈する。
【００３１】
好ましい実施形態では、これら発光ダイオードの周辺に配列されるいずれか二個の隣接する発光ダイオードが出力する光源の照明色温は異なる。
【００３２】
好ましい実施形態では、第一発光ダイオードユニットと第二発光ダイオードユニットは少なくとも三個の発光ダイオードを共に含み、またこれら発光ダイオードが行列形式の配列を呈する時、いずれか二個の隣接する発光ダイオードが出力する光源の照明色温は異なり、これら発光ダイオード行列形式でない配列を呈する時、これら発光ダイオードは少なくとも二個の発光ダイオード配列グループに分別され、各発光ダイオード配列グループ中の全ての発光ダイオードは線状配列を呈し、また各発光ダイオード配列グループ中のいずれか二個の隣接する発光ダイオードが出力する光源の照明色温は異なる。
【００３３】
好ましい実施形態では、いずれか二個の発光ダイオード配列グループは相互に平行配列され、及び／或いはこれら発光ダイオードの周辺に配列されるいずれか二個の隣接する発光ダイオードが出力する光源の照明色温は異なる。
【００３４】
好ましい実施形態では、照明装置は室内照明に応用され、また照明装置は家庭用照明、商業用照明、卓上スタンド、或いはベッドライトである。
【図面の簡単な説明】
【００３５】
【図１】本考案に係る色温調整可能な照明装置の好ましい実施形態の装置の概略図である。
【図２】図１に図示する照明装置の好ましい第一実施形態の回路の概略図である。
【図３】図１に図示する照明装置の好ましい第二実施形態の回路の概略図である。
【図４】図２に図示する回路の好ましい操作を実現する様子の概略図である。
【図５】図３に図示する回路の好ましい操作を実現する様子の概略図である。
【図６】本考案に係る色温調整可能な照明装置の好ましい実施形態の操作インターフェースの概略図である。
【図７】図６に図示する操作インターフェースを卓上スタンドに応用した概略図である。
【図８】発光源である発光ダイオードの好ましい第一実施形態での配列形態の概略図である。
【図９】発光源である発光ダイオードの好ましい第二実施形態での配列形態の概略図である。
【図１０】発光源である発光ダイオードの好ましい第三実施形態での配列形態の概略図である。
【考案を実施するための形態】
【００３６】
以下に図面を参照して、本考案を実施するための形態について、詳細に説明する。なお、本考案は、以下に説明する実施形態に限定されるものではない。本考案の実施形態に係る色温調整可能な照明装置は図１から図３にかけて図示し、図１は本考案に係る色温調整可能な照明装置の好ましい実施形態の装置の概略図であり、図２は図１に図示する照明装置の好ましい第一実施形態の回路の概略図であり、図３は図１に図示する照明装置の好ましい第二実施形態の回路の概略図である。
【実施例】
【００３７】
照明装置１は切換えスイッチ１１、駆動装置１２及び発光源１３からなり、発光源１３は第一照明色温を有する光源を出力する第一発光ダイオードユニット１３１と第二照明色温を有する光源を出力する第二発光ダイオードユニット１３２を少なくとも含み、好ましい第一実施形態及び第二実施形態に於いては、第一照明色温の光源は色温値６０００Ｋの冷白色光であり、第二照明色温の光源は色温値３０００Ｋの温白色光である。このほか、切換えスイッチ１１は電源端２に連結され、駆動装置１２は切換えスイッチ１１と発光源１３の間に電気的に接続され、そのため、切換えスイッチ１１がオン（ｔｕｒｎ  ｏｎ）時には、電源端２は駆動装置１２に電力を供給し、第一発光ダイオードユニット及び／或いは第二発光ダイオードユニットを駆動させ発光状態にさせ、切換えスイッチ１１がオフ（ｔｕｒｎ  ｏｆｆ）時には、電源端２は駆動装置１２に電力を供給せず、このため第一発光ダイオードユニットと第二発光ダイオードユニットは消灯状態となる。
【００３８】
また、駆動装置１２は計数制御ユニット１２１、パルス幅変調制御ユニット１２２、駆動回路１２３、ブリッジ整流器１２４及び変圧ユニット１２５を含み、切換えスイッチ１１のオン状態時には、ブリッジ整流器１２４は電源端２からの交流電流を直流電流へ変換し、駆動装置１２の各部材に供給する。このほか、駆動装置１２は切換えスイッチ１１のオン回数に応じ対応する第一作動信号を発信させ第一発光ダイオードユニット１３１へ送信し、及び／或いは第二作動信号を発信させ第二発光ダイオードユニット１３２へ送信し、また第一発光ダイオードユニット１３１は第一作動信号に応じて第一照明色温を有する第一照明輝度を発生させ、及び／或いは第二発光ダイオードユニット１３２は第二作動信号に応じて第二照明色温を有する第二照明輝度を発生させる。
【００３９】
好ましい第一実施形態では、計数制御ユニット１２１は第一ピンＱ１と第二ピンＱ２を有するフリップフロップ１２１１を含み、これは切換えスイッチ１１のオン回数の計算に用いられ、また切換えスイッチ１１のオン回数に従って単独で第一ピンＱ１に第一作動信号を出力させ、或いは単独で第二ピンＱ２に第二作動信号を出力させ、または第一Ｑ１と第二ピンＱ２に同時に第一作動信号と第二作動信号をそれぞれ出力させる。続いて、パルス幅変調制御ユニット１２２は切換えスイッチ１１のオン後に制御部材１２３１、キャパシタＣ５及び複数個の抵抗器Ｒ４〜Ｒ６で組成される駆動回路１２３への固定されたパルス幅変調信号の出力を維持し、駆動回路に第一発光ダイオードユニット１３１を駆動させ第一照明輝度を発生させ、及び／或いは第二発光ダイオードユニット１３２を駆動させ第二照明輝度を発生させる。
【００４０】
このほか、制御部材１２３１は定電圧（Ｃｏｎｓｔａｎｔ  Ｖｏｌｔａｇｅ）及び定電流（Ｃｏｎｓｔａｎｔ  Ｃｕｒｒｅｎｔ）の制御器であり、本考案では制御部材１２３１、抵抗器Ｒ４〜Ｒ６及びフォトカプラー（ｐｈｏｔｏ  ｃｏｕｐｌｅ）部材１２２２、１２３２により駆動装置１２の出力を定電圧の定電流とさせ、駆動装置１２の出力が過電圧の過電流にならないようにする。
【００４１】
次に、計数制御ユニット１２１は、切換えスイッチ１１のオフ状態時に時間長の電力をフリップフロップ１２１１に供給し、フリップフロップ１２１１に一定の正常な作動時間を維持させるキャパシタＣ７を有し、また時間長の長短はキャパシタＣ７の規格により決定され、つまりは、もし切換えスイッチ１１のオフ状態がその時間長を超過した場合、フリップフロップ１２１１は電力を失い計数作業を続けれず、そして切換えスイッチ１１が再度オンとなると切換えスイッチ１１のオン回数の再計算を行う。
【００４２】
図４は図２に図示する回路の好ましい操作を実現する様子の概略図である。以下ではパルス幅変調制御ユニット１２２が切換えスイッチ１１のオン後にデューティサイクル（ｄｕｔｙ  ｃｙｃｌｅ）１００％のパルス幅変調信号の出力を維持する場合を例に挙げ説明するが、パルス幅変調信号のデューティサイクル（ｄｕｔｙ  ｃｙｃｌｅ）はこれに制限されるわけではない。
【００４３】
切換えスイッチ１１の最初のオン時、フリップフロップ１２１１の第一ピンＱ１は第一作動信号を第一発光ダイオードユニット１３１へ出力し、第一発光ダイオードユニット１３１は１００％の仕事率で駆動され照明装置１に第一照明色温を有する第一照明輝度を発生させる。切換えスイッチ１１がオフになり時間長内に二度目のオン（即ち、二度のオン・オフ動作がなされた際の二つのパルス間の時間間隔Ｔｄが時間長より短い時）となる時、フリップフロップ１２１１の第二ピンＱ２は第二作動信号を第二発光ダイオードユニット１３２へ出力し、第二発光ダイオードユニット１３２は１００％の仕事率で駆動され照明装置１に第二照明色温を有する第二照明輝度を発生させる。
【００４４】
また、切換えスイッチ１１が再度オフとなり時間長内に三度目のオンとなる時、フリップフロップ１２１１の第一ピンＱ１は第一作動信号を第一発光ダイオードユニット１３１へ出力し、同時にフリップフロップの第二ピンＱ２は第二作動信号を第二発光ダイオードユニット１３２へ出力し、これにより第一発光ダイオード１３１と第二発光ダイオードユニット１３２は同時に１００％の仕事率で駆動され（即ち、第一発光ダイオード１３１と第二発光ダイオードユニット１３２がそれぞれ５０％の仕事率で駆動される）、照明装置１に上述の第一照明色温と第二照明色温を混合させて生成される第三照明色温を有する第三照明輝度を発生させる。ここでは好ましい第一実施形態の第一発光ダイオード１３１と第二発光ダイオードユニット１３２は平均的に分布されるので、第三照明色温の光源の色温値は４５００Ｋの昼白色光となる。
【００４５】
ちなみに、以上述べた情況以外で第一発光ダイオードユニット１３１が単独で１００％の仕事率で駆動される、或いは第二発光ダイオードユニット１３２が単独で１００％の仕事率で駆動される、または第一発光ダイオード１３１と第二発光ダイオードユニット１３２が同時に１００％の仕事率で駆動されると、第一照明輝度、第二照明輝度及び第三照明輝度は全て同じ照明輝度となる。然しながら、調整出来るのは照明色温のみで照明輝度は選択出来ず、照明装置としてはユーザーの利便性を鑑みれば改善の余地があり、このため以下では本考案に係る照明装置の好ましい第二実施形態を更に説明する。これは本考案がユーザーにとって照明色温の調整のみならず、更に照明輝度の選択も可能にする物となる。
【００４６】
好ましい第二実施形態では、計数制御ユニット１２１は触発ピンＰｉｎ、第一Ｐ１、第二ピンＰ２及び出力ピンＰｏｕｔを有するピーロムマイクロコントローラ１２１２を含み、また切換えスイッチ１１が毎回一度オンされる度に、マイクロコントローラ１２１２の触発ピンＰｉｎは毎回一度触発され、これにより切換えスイッチ１１のオン回数を計算する。そして、マイクロコントローラ１２１２は触発ピンＰｉｎが触発された回数に基き単独で第一ピンＰ１に第一作動信号を出力させ、或いは単独で第二ピンＰ２に第二作動信号を出力させ、または第一ピンＰ１と第二ピンＰ２に同時に第一作動信号と第二作動信号をそれぞれ出力させる。また、マイクロコントローラ１２１２は触発ピンＰｉｎが触発された回数に基き対応して調光信号をパルス幅変調制御ユニット１２２へ出力させ、続いてパルス幅変調制御ユニット１２２は対応する駆動信号を制御部材１２３１、キャパシタＣ５、複数個の抵抗器Ｒ４〜Ｒ６により組成される駆動回路１２３へと出力させ、駆動回路１２３に第一発光ダイオードユニット１３１を駆動させ第一照明輝度を発生させ、及び／或いは第二発光ダイオードユニット１３２を駆動させ第二照明輝度を発生させる。
【００４７】
このほか、好ましい第二実施形態では、駆動回路の制御部材１２３１と計数制御ユニット１２１のキャパシタＣ７の機能は好ましい第一実施形態の物と同様で、ここでは更なる詳述を省く。
【００４８】
図５は図３に図示する回路の好ましい操作を実現する様子の概略図である。切換えスイッチ１１の最初のオン時、マイクロコントローラ１２１２の触発ピンＰｉｎは最初の触発を受け、マイクロコントローラ１２１２の第一ピンＰ１に第一発光ダイオードユニット１３１への第一作動信号を出力させ、またマイクロコントローラ１２１２の出力ピンＰｏｕｔは対応して第一調光信号をパルス幅変調制御ユニット１２２へ出力させ、続いて、パルス幅変調制御ユニット１２２は第一調光信号に応じ駆動信号を駆動回路１２３へ出力させ、この時の駆動信号はデューティサイクル（ｄｕｔｙ  ｃｙｃｌｅ）１００％のパルス幅変調信号である。これにより、第一発光ダイオードユニット１３１は１００％の仕事率で駆動され照明装置１に第一照明色温を有する第一照明輝度を発生させる。
【００４９】
切換えスイッチ１１がオフになり時間長内に二度目のオン（即ち二度のオン／オフ動作がなされた際の二つのパルス間の時間間隔Ｔｄが時間長よりも短い時）となる時、マイクロコントローラ１２１２の触発ピンＰｉｎの触発された回数は２回となり、マイクロコントローラ１２１２の第二ピンＰ２に第二作動信号を第二発光ダイオードユニット１３２へと出力させ、またマイクロコントローラ１２１２の出力ピンＰｏｕｔは対応して第二調光信号をパルス幅変調制御ユニット１２２へ出力させ、続いて、パルス幅変調制御ユニット１２２は第二調光信号に応じ駆動信号を駆動回路１２３へ出力させ、この時の駆動信号はデューティサイクル（ｄｕｔｙ  ｃｙｃｌｅ）７５％のパルス幅変調信号となる。これにより、第二発光ダイオードユニットは７５％の仕事率で駆動され照明装置１に第二照明色温を有する第二照明輝度を発生させる。
【００５０】
また、切換えスイッチ１１が再度オフとなり時間長内に三度目のオンとなる時、マイクロコントローラ１２１２の触発ピンＰｉｎの触発された回数は３回となり、マイクロコントローラ１２１２の第一ピンＰ１に第一作動信号を第一発光ダイオードユニット１３１へと出力させ、同時に第二ピンＰ２は第二作動信号を第二発光ダイオードユニット１３２へ出力させ、出力ピンＰｏｕｔは対応して第三調光信号をパルス幅変調制御ユニット１２２へ出力させ、続いて、パルス幅変調制御ユニット１２２は第三調光信号に応じ駆動信号を駆動回路１２３へ出力させ、この時の駆動信号はデューティサイクル（ｄｕｔｙ  ｃｙｃｌｅ）６０％のパルス幅変調信号となる。これにより、第一発光ダイオードと第二発光ダイオードユニットは同時に６０％の仕事率で駆動（即ち、第一発光ダイオードユニットと第二発光ダイオードユニットはそれぞれ３０％の仕事率で駆動される）され、照明装置１に第三照明色温を有する第三照明輝度を発生させる。ここでは、好ましい第二実施形態の第一発光ダイオードユニットと第二発光ダイオードユニットは平均的に分布され、第三照明色温の光源は色温値４５００Ｋの昼白色光となる。
【００５１】
また、切換えスイッチが再度オフとなり時間長内に四度目のオンとなる時、マイクロコントローラ１２１２の触発ピンＰｉｎが触発された回数は４回となり、マイクロコントローラ１２１２の第一ピンＰ１に第一作動信号を第一発光ダイオードユニット１３１へと出力させ、またマイクロコントローラ１２１２の出力ピンＰｏｕｔは対応して第四調光信号をパルス幅変調制御ユニット１２２へ出力させ、続いて、パルス幅変調制御ユニット１２２は第四調光信号に応じ駆動信号を駆動回路１２３へ出力させ、この時の駆動信号はデューティサイクル（ｄｕｔｙ  ｃｙｃｌｅ）８０％のパルス幅変調信号となる。これにより、第一発光ダイオードユニット１３１は８０％の仕事率で駆動され、照明装置１に第一照明色温を有する第四照明輝度を発生させる。
【００５２】
ちなみに、第一照明輝度から第四照明輝度は駆動装置１２が供給する駆動の仕事率と正比例し、この為以上の詳述のように、第一照明輝度から第四照明輝度は全て異なる照明輝度である。当然、以上の説明は一実施形態の物に過ぎず、即ち照明装置１の製造出荷前に、異なる情況に合わせピーロムマイクロコントローラ１２１内のファームウェアを設定する事で、駆動装置１２の切換えスイッチ１１のオン回数に応じ第一発光ダイオードユニット及び／或いは第二発光ダイオードユニットに供給する駆動の為の仕事率を設定出来る。
【００５３】
本考案の照明装置１の発光源１３は第一照明色温を有する光源を出力する第一発光ダイオードユニット１３１と第二照明色温を有する光源を出力する第二発光ダイオードユニット１３２を含む物に限られず、若しくは他の照明色温を有する光源を出力する発光ダイオードユニットを含む事により照明装置は更に多様な照明色温と照明輝度を発生させユーザーの選択を拡げる事も本考案の範疇であり、またこれは前述した駆動原理と概念により、容易に実現可能である。
【００５４】
このほか、本考案の照明装置１は室内照明に応用され、これは家庭用照明、商業用照明、卓上スタンド或いはベッドライト等であり、但しこれらに限られるわけではない。以下ユーザーが如何に本考案の照明装置を操作するかを説明する。図６と図７によると、図６は本考案に係る色温調整可能な照明装置の好ましい実施形態の操作インターフェースの概略図であり、図７は図６に図示する操作インターフェースを卓上スタンドに応用した場合の概略図である。図６によれば操作インターフェース１４はスイッチ部１４１を有し、スイッチ部１４１は本来室内の壁に設置される切換えスイッチ１１でもよく、または図７のように本来卓上スタンド３に設置される切換えスイッチでもよい。この為、ユーザーはスイッチ部１４１を押す事で切換えスイッチ１１をオンにし、使用環境に合わせスイッチ部１４１を押す回数を変え適合する照明色温と照明輝度を選択出来る。
【００５５】
ちなみに、第一発光ダイオードユニット１３１は複数個の第一照明色温を出力させる光源である発光ダイオードを含み、第二発光ダイオードユニット１３２は複数個の第二照明色温を出力させる光源である発光ダイオードを含む。ここでは、もし照明色温が同一な光源を出力させる発光ダイオードが過度に集中して配列されると第一照明色温の光源と第二照明色温の光源の混光効果を低下させてしまう為、本案では照明色温の異なる発光ダイオードの平均的な分布配列の設置原則を二種類提出し、有効的に第三照明色温の光源の品質を向上させる。
【００５６】
まずの照明色温の異なる発光ダイオードの平均的な分布配列の設置原則の一つについて説明する。照明裝置１の発光源１３の、全ての発光ダイオードは共に対称軸となり対称に配列され、また対称軸の両側にそれぞれ位置され、また対称軸に沿い相互に対応するいずれか二個の発光ダイオードが出力する光源は同じ照明色温を有する。また、対称軸の両側のいずれか一方に位置される発光ダイオード配列グループは、少なくとも二個の発光ダイオード配列サブグループに分別され、各発光ダイオード配列サブグループ中の発光ダイオードは線状配列或いは非線状の配列を呈する。重要なのは、各発光ダイオード配列サブグループ中のいずれか二個の隣接する発光ダイオードが出力する光源の照明色温は異なる点である。
【００５７】
更に好ましくは、全ての発光ダイオードの周辺（最も外周）に配列されるいずれか二個の隣接する発光ダイオードが出力する光源の照明色温も異なる。
【００５８】
図８は発光源である発光ダイオードの好ましい第一実施形態の配列形態の概略図であり、図中にＷで標示される発光ダイオード１３１１は第一照明色温を有する光源を出力させ、図中Ｃで標示される発光ダイオード１３１２は第二照明色温を有する光源を出力させる。全ての発光ダイオード１３１１と発光ダイオード１３１２は共に対称軸１３３となり対称に配列され、また対称軸１３３の両側にそれぞれ位置され、対称軸１３３に沿い相互に対応するいずれか二個の発光ダイオードが出力する光源は同じ照明色温（図式中で斜線を用いて標示される二個の発光ダイオード）を有する。また、対称軸１３３の両側のいずれか一方に位置される発光ダイオード配列グループは、三個の発光ダイオード配列サブグループＧ１、Ｇ２、Ｇ３（同一の点線に通過される発光ダイオードは同一の発光ダイオード配列グループに属する）に分別され、各発光ダイオード配列サブグループ中の全ての発光ダイオード１３１１と発光ダイオード１３１２はＳ形に配列、或いは逆Ｓ形に配列され、またこの内のいずれか二個の隣接する発光ダイオードが出力する光源の照明色温は皆異なる。
【００５９】
このほか、照明色温の異なる発光ダイオード１３１１と発光ダイオード１３１２を更に均一に分布配列させる為、本実施形態では全ての発光ダイオード１３１１と発光ダイオード１３１２の周辺（最も外周の点線に通過される発光ダイオード）のいずれか二個の隣接する発光ダイオードに皆照明色温の異なる光源を出力させる。また、本実施形態では、対称軸１３３上に複数個の発光ダイオード１３１１と発光ダイオード１３１２を設置させ、この内のいずれか二個の隣接する発光ダイオードが出力する光源の照明色温も異なる。当然、上述するのは一つの実施形態に過ぎず、対称軸上にはあらゆる発光ダイオードの設置が可能である。
【００６０】
続いて、もう一つの照明色温の異なる発光ダイオードの平均的な分布配列の設置原則について説明する。照明裝置１の発光源１３の、全ての発光ダイオードは行列形式の配列、ないしは行列形式でない配列を呈し、全ての発光ダイオードが行列形式の配列を呈する時、いずれか二個の隣接する発光ダイオードが出力する光源の照明色温は異なり、全ての発光ダイオードが行列形式ではない配列を呈する時、これら発光ダイオードは少なくとも二個の発光ダイオード配列グループに分別され、各発光ダイオード配列グループ中の全ての発光ダイオードは線状配列を呈し、またいずれか二個の発光ダイオード配列グループは相互に平行配列されて設置され、ないしは非平行に配列されて設置される。重要なのは、各発光ダイオード配列グループ中のいずれか二個の隣接する発光ダイオードが出力する光源の照明色温は異なる点である。
【００６１】
更に好ましくは、全ての発光ダイオードは共に対称軸となり対称に配列され、また対称軸の両側にそれぞれ位置され、また対称軸に沿い相互に対応するいずれか二個の発光ダイオードが出力する光源は同じ照明色温を有する。また、全ての発光ダイオードの周辺（最の外周）に配列されるいずれか二個の隣接する発光ダイオードが出力する光源の照明色温も異なる。
【００６２】
例を挙げれば、図９は発光源である発光ダイオードの好ましい第二実施形態の配列形態の概略図であり、同様に、図中の図像Ｗで標示される発光ダイオード１３１１は第一照明色温を有する光源を出力させ、図中の図像Ｃで標示される発光ダイオード１３１２は第二照明色温を有する光源を出力させる。全ての発光ダイオード１３１１と発光ダイオード１３１２は四列五行の行列形式の配列を呈し、いずれか二個の第一照明色温の光源を出力させる発光ダイオードは隣接されて設置はされず、またいずれか二個の第二照明色温の光源を出力させる発光ダイオードも隣接されて設置はされない。
【００６３】
図１０は発光源である発光ダイオードの好ましい第三実施形態の配列形態の概略図であり、同様に、図示の図像Ｗで標示される発光ダイオード１３１１は第一照明色温を有する光源を出力させ、図中の図像Ｃで標示される発光ダイオード１３１２は第二照明色温を有する光源を出力させる。全ての発光ダイオード１３１１と発光ダイオード１３１２は行列形式でない配列を呈し、またこれら発光ダイオード１３１１と発光ダイオード１３１２は七個の発光ダイオード配列グループＫ１〜Ｋ７（同一の点線に通過される発光ダイオードは同一の発光ダイオード配列グループに属する）に分別され、各発光ダイオード配列グループ中の全ての発光ダイオードは線状配列を呈し、またいずれか二個の発光ダイオード配列グループは相互に平行配列されて設置され、ここでは、各発光ダイオード配列グループ中のいずれか二個の隣接する発光ダイオードが出力する光源の照明色温は皆異なる。
【００６４】
また、照明色温の異なる発光ダイオード１３１１と発光ダイオード１３１２を均一に分布配列させる為、本実施形態では更に全ての発光ダイオード１３１１と発光ダイオード１３１２の周辺（最も外周の点線に通過される発光ダイオード）のいずれか二個の隣接する発光ダイオードに皆照明色温の異なる光源を出力させる。また、本実施形態の、全ての発光ダイオード１３１１と発光ダイオード１３１２は共に対称軸１３３となり対称に配列され、また対称軸１３３の両側にそれぞれ位置され、対称軸１３３に沿い相互に対応するいずれか二個の発光ダイオードが出力する光源は同じ照明色温（図式中では斜線で標示される二個の発光ダイオード）を有する。このほか、本実施形態の、対称軸１３３上には複数個の発光ダイオード１３１１と発光ダイオード１３１２が設置され、この内のいずれか二個の隣接する発光ダイオードが出力する光源の照明色温も異なる。当然、上述するのは一つの実施形態に過ぎず、対称軸１３３上にはあらゆる発光ダイオードの設置が可能である。
【００６５】
上述の実施形態は本考案の技術思想及び特徴を説明するためのものにすぎず、当該技術分野を熟知する者に本考案の内容を理解させると共にこれをもって実施させることを目的とし、本考案の請求の範囲を限定するものではない。従って、本考案の精神を逸脱せずに行う各種の同様の効果をもつ改良又は変更は、後述の請求項に含まれるものとする。
【符号の説明】
【００６６】
１        照明装置
２        電源端
３        卓上スタンド
１１      切換えスイッチ
１２      駆動装置
１３      発光源
１４      操作インターフェース
１２１    計数制御ユニット
１２２    パルス幅変調制御ユニット
１２３    駆動回路
１２４    ブリッジ整流器
１２５    変圧ユニット
１３１    第一発光ダイオードユニット
１３２    第二発光ダイオードユニット
１４１    スイッチ部
１２１１  フリップフロップ
１２１２  ピーロムマイクロコントローラ
１２２１  パルス幅変調制御器
１２３１  制御部材
１２２２  フォトカプラー（ｐｈｏｔｏ  ｃｏｕｐｌｅ）
１２３２  フォトカプラー（ｐｈｏｔｏ  ｃｏｕｐｌｅ）
１３１１  発光ダイオード
１３１２  発光ダイオード
Ｃ３      キャパシタ
Ｃ４      キャパシタ
Ｃ５      キャパシタ
Ｃ６      キャパシタ
Ｃ７      キャパシタ
Ｃ８      キャパシタ
Ｄ１      ダイオード
Ｄ２      ダイオード
Ｄ３      ダイオード
Ｄ４      ダイオード
Ｇ１      発光ダイオード配列サブグループ
Ｇ２      発光ダイオード配列サブグループ
Ｇ３      発光ダイオード配列サブグループ
Ｋ１      発光ダイオード配列グループ
Ｋ２      発光ダイオード配列グループ
Ｋ３      発光ダイオード配列グループ
Ｋ４      発光ダイオード配列グループ
Ｋ５      発光ダイオード配列グループ
Ｋ６      発光ダイオード配列グループ
Ｋ７      発光ダイオード配列グループ
Ｐｉｎ    触発ピン
Ｐ１      フリップフロップの第一ピン
Ｐ２      フリップフロップの第二ピン
Ｐｏｕｔ  出力ピン
Ｑ１      マイクロコントローラの第一ピン
Ｑ２      マイクロコントローラの第二ピン
Ｒ１      抵抗器
Ｒ２      抵抗器
Ｒ３      抵抗器
Ｒ４      抵抗器
Ｒ５      抵抗器
Ｒ６      抵抗器
Ｒ７      抵抗器
Ｒ８      抵抗器
Ｒ９      抵抗器
Ｒ１０    抵抗器
Ｔ１      時間長
Ｔｄ      時間間隔
Ｔｓ      第一時間点
Ｔｍ      第二時間点
Ｔｅ      第三時間点
【図１】
0003169679.tif 000003
【図２】
0003169679.tif 000004
【図３】
0003169679.tif 000005
【図４】
0003169679.tif 000006
【図５】
0003169679.tif 000007
【図６】
0003169679.tif 000008
【図７】
0003169679.tif 000009
【図８】
0003169679.tif 000010
【図９】
0003169679.tif 000011
【図１０】
0003169679.tif 000012